(57)【特許請求の範囲】
【請求項１】
入室前の人物の認証処理を行なう認証手段と、
前記入室前の複数の人物のうちの第１の人物の認証処理の結果に応じて当該複数の人物が入室した後、前記複数の人物のうちの第２の人物の退室前に当該第２の人物の撮像画像を予め定められた情報処理端末へ送信する送信手段と、
前記第２の人物の退室に際して、前記第２の人物の撮像画像を受信した前記情報処理端末からの第１の許可情報の受信に応じて、前記第２の人物の退室を許可する許可手段と
を有することを特徴とする領域管理システム。
【請求項２】
前記許可手段は、
前記第２の人物の退室に際して、前記第１の許可情報の受信に応じて前記退室のためのゲートを開錠する
ことを特徴とする請求項１に記載の領域管理システム。
【請求項３】
前記第２の人物の退室に際して、前記情報処理端末から前記第１の許可情報を受信しなかった場合、エラーを出力する第１の出力手段
を更に有することを特徴とする請求項１又は２に記載の領域管理システム。
【請求項４】
前記複数の人物の入室前に入室者の人数を入力する第１の入力手段と、
前記第１の人物の認証処理の結果に応じて入室した人数をカウントする第１のカウント手段と、
前記入室に際して、前記入力された人数と前記カウントされた人数とが異なる場合、エラーを出力する第２の出力手段と
を更に有することを特徴とする請求項１乃至３のうちいずれか１項に記載の領域管理システム。
【請求項５】
前記複数の人物が入室した後であって、前記第２の人物の退室前に退室者の人数を入力する第２の入力手段と、
前記第１の許可情報の受信に応じて退室した人数をカウントする第２のカウント手段と、
前記第２の人物の退室に際して、前記入力された人数と前記カウントされた人数とが異なる場合、エラーを出力する第３の出力手段と
を更に有することを特徴とする請求項１乃至４のうちいずれか１項に記載の領域管理システム。
【請求項６】
前記送信手段は、
前記第２の人物が退室した後、前記第２の人物の再入室前に前記第２の人物の撮像画像を前記情報処理端末へ送信し、
前記許可手段は、
前記第２の人物の再入室に際して、前記第２の人物の撮像画像を受信した前記情報処理端末からの第２の許可情報の受信に応じて、前記第２の人物の再入室を許可する
ことを特徴とする請求項１乃至５のうちいずれか１項に記載の領域管理システム。
【請求項７】
前記第２の人物の再入室前に再入室者の人数を入力する第３の入力手段と、
前記第２の許可情報の受信に応じて再入室した人物の人数をカウントする第３のカウント手段と、
前記第２の人物の再入室に際して、前記入力された人数と前記カウントされた人数とが異なる場合、エラーを出力する第４の出力手段と
を更に有することを特徴とする請求項６に記載の領域管理システム。
【請求項８】
前記情報処理端末は、複数設けられており、
前記送信手段は、
前記第２の人物の撮像画像を前記複数の情報処理端末へ送信し、
前記許可手段は、
前記第２の人物の退室に際して、前記複数の情報処理端末のうち少なくとも１つの情報処理端末からの前記第１の許可情報の受信に応じて、前記第２の人物の退室を許可する
ことを特徴とする請求項１乃至７のうちいずれか１項に記載の領域管理システム。
【請求項９】
領域管理システムの制御方法であって、
認証手段が、入室前の人物の認証処理を行なう工程と、
送信手段が、前記入室前の複数の人物のうちの第１の人物の認証処理の結果に応じて当該複数の人物が入室した後、前記複数の人物のうちの第２の人物の退室前に当該第２の人物の撮像画像を予め定められた情報処理端末へ送信する工程と、
許可手段が、前記第２の人物の退室に際して、前記第２の人物の撮像画像を受信した前記情報処理端末からの第１の許可情報の受信に応じて、前記第２の人物の退室を許可する工程と
を有することを特徴とする制御方法。
【請求項１０】
入室前の人物の認証処理の結果を取得するコンピュータを、
前記入室前の複数の人物のうちの第１の人物の認証処理の結果に応じて当該複数の人物が入室した後、前記複数の人物のうちの第２の人物の退室前に当該第２の人物の撮像画像を予め定められた情報処理端末へ送信する送信手段、
前記第２の人物の退室に際して、前記第２の人物の撮像画像を受信した前記情報処理端末からの第１の許可情報の受信に応じて、前記第２の人物の退室を許可する許可手段
として機能させるためのプログラム。
【発明の詳細な説明】
【技術分野】
【０００１】
本発明は、管理領域への少なくとも進入を管理する領域管理システム及び方法に関する。
【背景技術】
【０００２】
企業等においては、顧客や業者のような外部からの来訪者が頻繁に出入りする。そのような状況の下、企業等には、セキュリティを重視する建物や部屋など機密エリアがある。機密エリアへ当該企業等の在籍者と共に入室した来訪者が、一時退室又は再入室する際には、一定のアクセス制限が必要となる。
【０００３】
このような技術に関連して、特許文献１のシステムでは、来訪者が機密エリアに入室を希望する場合に、在籍者が同エリア内に一名以上在室していれば入室を許可する技術が提案されている。
【特許文献１】特開２００６−１６３４５６号公報
【発明の開示】
【発明が解決しようとする課題】
【０００４】
しかしながら、このような入退室管理システムでは、在籍者の引率により管理エリアに入室した来訪者が一時退室や再入室する際に（例えば、自社への連絡や休憩などのため）、種々の課題があった。
【０００５】
例えば、特許文献１によるシステムでは、管理エリア内に在籍者が一名以上いる場合は、正式な来訪者以外の人物も同エリアへ入室できてしまうため、セキュリティ上の問題がある。
【０００６】
本発明は、上述の課題に鑑みてなされたものであり、認証情報を登録していない人物による管理領域への進入時におけるセキュリティを維持し、利便性を向上させるようにした技術を提供することを目的とする。
【課題を解決するための手段】
【０００７】
上記目的を達成するため、本発明の一態様による領域管理システムは、入室前の人物の認証処理を行なう認証手段と、前記入室前の複数の人物のうちの第１の人物の認証処理の結果に応じて当該複数の人物が入室した後、前記複数の人物のうちの第２の人物の退室前に当該第２の人物の撮像画像を予め定められた情報処理端末へ送信する送信手段と、前記第２の人物の退室に際して、前記第２の人物の撮像画像を受信した前記情報処理端末からの第１の許可情報の受信に応じて、前記第２の人物の退室を許可する許可手段とを有することを特徴とする。
【発明の効果】
【０００９】
本発明によれば、特定人物（例えば、来訪者等など）の認証情報を登録せずに済み、更に、認証情報を登録していない人物による管理領域への進入時においてもセキュリティを維持できる。これにより、利便性を向上させられる。
【発明を実施するための最良の形態】
【００１０】
以下に添付図面を参照して、本発明に係る領域管理システム及び方法の好適な一実施の形態について説明する。なお、以下、実施形態においては、本発明に係わる領域管理システムを適用した入退室管理システムを例に挙げて説明する。
【００１１】
（実施形態１）
図１は、本発明に係わる入退室管理システムの全体構成の一例を示す図である。
【００１２】
この入退室管理システムは、ゲート管理装置１１と、入退室管理サーバ３１と、情報処理端末（５１、６１）とを具備して構成される。
【００１３】
管理エリア１は、この入退室管理システムにおける管理領域であり、例えば、セキュリティを重視する部屋である。管理エリア１は、例えば、全面を壁に囲まれた構造を有し、その一つの壁に出入り口となる１又は複数のゲート（この場合、ゲート２のみ）を有している。また、ゲート２真横の壁には、ゲート管理装置１１が配される。なお、本実施形態においては、管理エリア１が部屋である場合を例に挙げて説明するが、管理エリア１は、人物が進入或いは退出しうる所定の領域であればよく、例えば、建物自体であってもよいし、また、例えば、部屋の一部であってもよい。
【００１４】
ここで、管理エリア１に入退室しうる人物としては大きく２つ挙げられる。
【００１５】
第１の人物としては、認証情報が既に入退室管理サーバ３１に登録されている人物である。例えば、企業等においては社員等がこの第１の人物に相当する。第１の人物（以下、在籍者と言う）は、認証情報が既に管理されているため、認証に成功した場合、管理エリア１への入室を許可される。
【００１６】
第２の人物としては、認証情報が入退室管理サーバ３１に未登録の人物である。例えば、来訪者等が第２の人物に相当する。第２の人物（以下、来訪者と言う）は、認証情報が管理されていないため、在籍者とともに管理エリア１に入室するか、また、在籍者の許可により例えば、単独で入室するかする。
【００１７】
入退室管理サーバ３１は、本システムにおける入退室者の管理を統括的に行なう。例えば、在籍者の真正の認証情報を記憶・照合する。また、例えば、管理エリア１に来訪者を引き連れて入室した在籍者に係わる情報を記憶並びに管理する。
【００１８】
ゲート管理装置１１は、ゲート端末（１２、１７）及びカメラ（１３、１８）を具備し、ゲート２の管理を統括的に行う。ゲート端末（１２、１７）は、管理エリア１の壁の両側（内側、外側）に設けられ、管理エリア１への入退室に際して利用される。また、カメラ（１３、１８）は、ゲート２付近にいる人物を撮像する。カメラ（１３、１８）もゲート端末（１２、１７）同様に、管理エリア１の壁の両側（内側、外側）に設けられる。
【００１９】
情報処理端末（５１、６１）は、在籍者（４、７）に対応して設けられる。情報処理端末（５１、６１）では、在籍者が引率して管理エリア１へ入室させた来訪者の一時退室や再入室に際して、在籍者によりその入室及び退室の許可／禁止の指示が行なわれる。情報処理端末（５１、６１）は、例えば、パーソナルコンピュータ（デスクトップ型やノート型など）であってもよいし、また、携帯端末（携帯電話、ＰＨＳ電話、スマートフォン、ポケットＰＣなど）などであってもよい。これ以外にも、通信機能及び表示機能を有する端末であればよく、特に問わない。
【００２０】
ここで、本実施形態における入退室管理システムの説明を分かり易くするために、管理エリア１へ入退室する際の流れの一例について簡単に説明する。
【００２１】
まず、在籍者（３、４、７）が管理エリア１へ入室する際には、在籍者（３、４、７）は、ゲート端末（外側）１２において、認証情報を入力する必要がある。在籍者（３、４、７）が、所定操作を行なって認証情報の入力を済ますと、当該入力された認証情報が入退室管理サーバ３１へと送られる。入退室管理サーバ３１では、当該入力された認証情報と、予め記憶された真正の認証情報とを照合させる。照合の結果、認証に成功した場合には、その旨が入退室管理サーバ３１からゲート管理装置１１に返され、ゲート２の電子鍵が開錠される。これにより、在籍者（３、４、７）は、入室が許可される。
【００２２】
また、在籍者（４、７）が来訪者を伴って管理エリア１へ入室する際には、在籍者（４、７）は、ゲート端末（外側）１２において、共連れ要求を入力する。なお、共連れ要求を行なうには、在籍者（４、７）が認証に成功していることが条件となる。共連れ要求後、在籍者が所定の操作（例えば、来訪者数の入力など）を行うとゲート２が開き、来訪者を正式な入室者として管理エリア１内へ入室させられる。つまり、図２に示すように、在籍者（４、７）及び来訪者（５、８）が管理エリア１内に入室を許可される。なお、この入室に際しては、ゲート２の通過者をカウントするようにするのが好ましい。
【００２３】
その後、図２に示す状態において、管理エリア１に入室中の来訪者（５、８）が一時退室を希望した場合、その来訪者は単独でゲート（内側）まで移動（アクセス）し、ゲート端末（内側）１７から退出の許可要求（以下、開錠要求と言う）を入力する。当該要求が入力されると、ゲート端末（内側）１７に設置されたカメラ１８がゲート２前にいる来訪者（５、８）を撮像する。すると、その撮像画像を含んだ許可依頼（以下、開錠依頼と言う）が共連れ入室に際して引率した在籍者（４、７）の情報処理端末（５１、６１）へネットワーク７１を介して配信される。当該開錠依頼を受信した情報処理端末（５１、６１）は、開錠依頼に含まれた来訪者の撮像画像やゲート情報などを画面上に表示する。
【００２４】
在籍者（４、７）は、情報処理端末（５１、６１）の画面上で来訪者（５、８）の画像を目視確認し、自分の来訪者であるか確認する。自分の来訪者であれば、許可指示（以下、開錠許可と言う）を入力する。なお、自分の来訪者でなければ、例えば、「キャンセル」ボタンを押下する。開錠許可は、ネットワーク７１を介してゲート管理装置１１へ送信される。ゲート管理装置１１では、情報処理端末（５１、６１）のいずれかから開錠許可を受信すると、ゲート２の電子錠を開錠する。結果として、ゲート２にアクセスした来訪者（５、８）は、管理エリア１から単独で一時退室できる。
【００２５】
図３は、図１に示す入退室管理システムの内部ブロック構成の一例を示す図である。本システムは大きく、ゲート管理装置１１、入退室管理サーバ３１、情報処理端末（５１、６１）、及びそれらを結ぶネットワーク７１から構成される。
【００２６】
まず、ゲート管理装置１１について説明する。ゲート管理装置１１は、制御部２３、ゲート端末（外側）１２及びゲート端末（内側）１７、通過者計数部２２、通信部２４、う電子錠２６、不図示のＲＡＭ及びＲＯＭ、これらの各要素を接続するためのバス２５を具備して構成される。
【００２７】
電子錠２６は、ゲート２を開錠、施錠する。通常、電子錠２６は、施錠された状態にあり、ゲート２は閉ざされている。電子錠２６は、例えば、在籍者が認証に成功した場合などに開錠される。
【００２８】
通信部２４は、ゲート管理装置１１から出力されるデータ、及びゲート管理装置１１に入力されるデータに対してプロトコルの変換等を行い、ネットワーク７１を経由した入退室管理サーバ３１、情報処理端末（５１、６１）とのデータ通信を可能にする。例えば、ゲート２において開錠要求を入力した人物の撮像画像を含む開錠依頼は、この通信部２４を介して情報処理端末（５１、６１）へ配信される。
【００２９】
通過者計数部２２は、ゲート２を通過して入退室を行う人物を検出・計数する。通過者計数部２２は、フラッパーゲートなどによる物理的方法や撮像画像解析による方法など公知のいかなる計数方法を用いて実現してもよい。ただし、通過者計数部２２は、必須の構成要素ではない。
【００３０】
ＲＡＭ（Random Access Memory）は、任意のアドレスを指定して読み書きすることが可能なメモリである。ＲＡＭでは、ゲート管理装置１１における処理に必要なデータ等を一時的に記憶し、必要に応じてバス２５に出力する。
【００３１】
ＲＯＭ（Read Only Memory）は、制御部２３における処理に必要な制御用プログラムを記憶する読み出し専用のメモリ（書き込み可でもよい）であり、所定のタイミングで制御用プログラム等を読み出してバス２５に出力する。
【００３２】
制御部２３は、ＲＯＭ（不図示）に記憶された制御用プログラム等に基づいて演算処理等を行う。また、この制御用プログラムに基づいてゲート管理装置１１を構成する各要素を制御し、ゲート管理装置１１を機能させる。ここで、制御部２３には、その機能的な構成として、配信部４１、入退室管理部４２、異常報知部４３が具備される。なお、制御部２３における機能的な構成は、例えば、ＲＯＭに記憶されている制御用プログラムがＣＰＵにより実行されることで実現される。
【００３３】
配信部４１は、カメラ（１３、１８）により撮像した来訪者の撮像画像を含む開錠依頼を情報処理端末（５１、６１）に配信する。なお、撮像対象となる来訪者は、ゲート２において再入室や一時退室のため、開錠要求を入力した人物である。
【００３４】
入退室管理部４２は、電子錠２６の開錠、施錠を制御し、管理エリア１への入室又は退室を管理する。なお、本実施形態においては、電子錠２６を制御することで管理エリア１への入室又は退室を管理することになるが、これ以外の方法により入室又は退室を管理してもかまわない。例えば、通過阻止部材（例えば、ポール）の上げ下げにより入室又は退室を管理してもよい。
【００３５】
異常報知部４３は、異常が発生した旨を報知する。この報知は、例えば、警備員室への通知により行なわれてもよいし、また、情報処理端末（５１、６１）への通知により行なわれてもよい。なお、通知内容や通知方法の説明については従来同様であるため省略する。以上が、制御部２３に実現される機能的な構成の一例についての説明である。
【００３６】
ゲート端末（外側）１２及びゲート端末（内側）１７は、管理エリア１の外側又は内側からゲート２の開錠操作を行うための端末である。ゲート端末（外側）１２は、カメラ１３、表示部１４、コマンド入力部１５、認証情報入力部１６を具備し、ゲート端末（内側）１７は、カメラ１８、表示部１９、コマンド入力部２０、認証情報入力部２１を具備する。
【００３７】
カメラ（１３、１８）は、ゲート２において開錠要求を入力した来訪者を撮像し、その画像データをバス２５を介して制御部２３等に出力する。カメラ（１３、１８）には、例えば、Ｐａｎ、Ｔｉｌｔ、Ｚｏｏｍカメラや、固定式カメラなどが用いられる。また、カメラ（１３、１８）から出力される画像データは、静止画像、動画像の何れであってもよい。
【００３８】
表示部（１４、１９）は、ゲート端末（１２、１７）の利用者が入退室に際してその操作を行うのに必要な画面や、各種エラーメッセージなどの表示を行なう。表示部（１４、１９）には、例えば、液晶ディスプレイが用いられる。
【００３９】
コマンド入力部（１５、２０）は、ボタンなどのユーザインターフェイスからなり、在籍者（４、７）による共連れ要求や、来訪者（５、８）による開錠要求などをバス２５を介して制御部２３等に出力する。
【００４０】
認証情報入力部（１６、２１）は、在籍者から認証情報の入力を受け、入力された認証情報をバス２５を介して制御部２３等に出力する。なお、認証方法は特に問わず、例えば、ＩＤカード認証などの“物による認証”、指紋認証、静脈認証、顔認証などの“生態認証”、パスワード認証などの“記憶による認証”など、何れの認証方法を採用してもよい。
【００４１】
続いて、入退室管理サーバ３１について説明する。入退室管理サーバ３１は、制御部３４、共連れ情報管理部３２、通信部３６、認証部３５、認証情報管理部３８、表示部３７、不図示のＲＡＭ及びＲＯＭ、これらの各要素を接続するためのバス３７を具備して構成される。
【００４２】
共連れ情報管理部３２は、来訪者を引率して管理エリア１へ入室している在籍者に係わる情報を、例えば、ＲＡＭに記憶して管理する。なお、管理エリア１が複数ある場合には、管理エリア毎に当該在籍者に係わる情報を管理する。在籍者の情報は、例えば、図４に示すテーブル形式のデータ構造を有する（以下、このテーブルを共連れ情報管理テーブルと呼ぶ）。共連れ情報管理テーブル５０１には、当該在籍者（引率者）に係わる情報として、例えば、引率者（氏名）、ＩＤ番号、電子メールアドレス、来訪者数（管理エリア内）、来訪者数（管理エリア外）などが管理されている。
【００４３】
通信部３６は、入退室管理サーバ３１から出力されるデータ、及び入退室管理サーバ３１に入力されるデータに対してプロトコルの変換等を行い、ネットワーク７１を経由したゲート管理装置１１、情報処理端末（５１、６１）とのデータ通信を可能にする。
【００４４】
認証情報管理部３８は、在籍者の真正の認証情報を認証情報リストとして管理する。この管理は、例えば、ＲＯＭ等で行なわれる。認証情報リストには、例えば、各在籍者用の認証情報、ＩＤ番号、メールアドレス等を含むデータセットが記憶される。なお、この各在籍者用データセットにおけるＩＤ番号やメールアドレスは、入退室管理サーバ３１内の、例えば、ＲＯＭに記憶されていてもよいし、また、別の記憶装置に格納し、それを参照するようにしてもよい。
【００４５】
認証部３５は、在籍者により入力された認証情報と一致する真正の認証情報が認証情報リストの中に存在するか照合を行なう。すなわち、在籍者により入力された認証情報と、認証情報管理部３８に管理された真正の認証情報とに基づいて認証を行なう。
【００４６】
表示部３７は、入退室管理サーバ３１の管理に必要な各種の画面等を表示する。表示部３７には、例えば、液晶ディスプレイが用いられる。
【００４７】
ＲＡＭ（不図示）は、任意のアドレスを指定して読み書きすることが可能なメモリである。ＲＡＭでは、入退室管理サーバ３１における処理に必要なデータ等を一時的に記憶し、必要に応じてバス３７に出力する。
【００４８】
ＲＯＭ（不図示）は、制御部３４における処理に必要な制御用プログラムを記憶する読み出し専用のメモリ（書き込み可でもよい）であり、所定のタイミングで制御用プログラム等を読み出してバス３７に出力する。
【００４９】
制御部２３は、ＲＯＭ（不図示）に記憶されている制御用プログラム等に基づいて演算処理等を行う。また、この制御用プログラムに基づいて入退室管理サーバ３１を構成する各要素を制御し、入退室管理サーバ３１を機能させる。
【００５０】
最後に、情報処理端末（５１、６１）について説明する。情報処理端末（５１、６１）は、制御部５２、通信部５５、表示部５３、コマンド入力部５４、不図示のＲＡＭ及びＲＯＭ、これらの各要素を接続するためのバス５６を具備して構成される。
【００５１】
通信部５５は、情報処理端末（５１、６１）から出力されるデータ、及び情報処理端末（５１、６１）に入力されるデータに対してプロトコルの変換等を行い、ネットワーク７１を経由したゲート管理装置１１、入退室管理サーバ３１とのデータ通信を可能にする。
【００５２】
表示部５３は、在籍者がゲートの開錠操作を行う際に必要な画面等を表示する。例えば、ゲート管理装置１１から受信した開錠依頼に含まれる人物の撮影画像やゲート情報などを表示する。表示部５３には、例えば、液晶ディスプレイが用いられる。
【００５３】
コマンド入力部５４は、例えば、画面上の「開錠」ボタン、「キャンセル」ボタンなどのＧＵＩ（Graphical User Interface）からなり、在籍者が入力した開錠許可、開錠禁止などをバス５６を介して制御部５２等に出力する。
【００５４】
ＲＡＭ（不図示）は、任意のアドレスを指定して読み書きすることが可能なメモリである。ＲＡＭでは、情報処理端末（５１、６１）における処理に必要なデータ等を一時的に記憶し、必要に応じてバス５６に出力する。
【００５５】
ＲＯＭ（不図示）は、制御部５２における処理に必要な制御用プログラムを記憶する読み出し専用のメモリ（書き込み可でもよい）であり、所定のタイミングで必要な制御用プログラム等を読み出してバス５６に出力する。
【００５６】
制御部５２は、ＲＯＭ（不図示）に記憶されている制御用プログラム等に基づいて演算処理等を行う。また、この制御用プログラムに基づいて情報処理端末（５１、６１）を構成する各要素を制御し、情報処理端末（５１、６１）を機能させる。
【００５７】
また、７１はネットワークを示している。このネットワーク７１には、例えば、ＴＣＰ／ＩＰネットワークを用いればよい。ネットワーク７１は、インターネットやＬＡＮ（Local Area Network）などいずれを用いてもよい。なお、ＴＣＰ／ＩＰに依存する必要はなく、ＩＰＸ／ＩＳＸやＡｐｐｌｅＴａｌｋと言った同様の機能を果たすプロトコルを用いてもよい。回線に関しても、これらのプロトコルを使用できるのであれば、有線、無線などいかなる回線を用いても構わない。
【００５８】
以上が、入退室管理システムの各装置における機能的な構成についての説明である。なお、上述した各装置に設けられた機能的な構成は、必ずしも図示した通りに実現される必要はなく、システム内におけるいずれかの装置にその全部若しくは一部が実現されていればよい。例えば、図３の説明では、実際の認証を入退室管理サーバ３１側で行なう構成となっているが、ゲート管理装置１１で行なうようにしてもよい。その場合、認証部３５、認証情報管理部３８は、ゲート管理装置１１内に実現されることになる。また、例えば、入退室管理サーバ３１及びゲート管理装置１１を単体の装置として実現してもよい。
【００５９】
ここで、図５を用いて、在籍者が来訪者を伴って管理エリア１内に共連れ入室する際の処理の流れの一例について説明する。
【００６０】
管理者が、ゲート管理装置１１に対して処理開始の命令を与えると、ゲート管理装置１１の制御部２３により、ゲート管理装置１１用のプログラムがＲＡＭ（不図示）上に展開され、表示部（１４、１９）に必要な情報の提示が行なわれる。また、入退室管理サーバ３１に対しても同様に処理開始の命令を与えると、入退室管理サーバ３１の制御部３４により、入退室管理サーバ３１用のプログラムがＲＡＭ（不図示）上に展開され、表示部３７に必要な情報の提示が行なわれる。
【００６１】
ここでまず、在籍者がゲート端末（外側）１２から「共連れ要求」ボタン（不図示）を押下する。「共連れ要求」ボタンは、例えば、ゲート端末（外側）１２のコマンド入力部１５上から押下される。この押下を受けたゲート管理装置１１の制御部２３は、表示部１４に、例えば「認証情報を入力して下さい」旨のメッセージを表示する（ステップＳ１０１）。
【００６２】
このメッセージを参照した在籍者は、ゲート端末（外側）１２の認証情報入力部１６から所定の認証情報を入力する。この入力を受けたゲート管理装置１１の制御部２３は、当該認証情報を通信部２４を介して入退室管理サーバ３１へ送信する（ステップＳ１０２）。
【００６３】
入退室管理サーバ３１は、入力された認証情報の照合を行う。すなわち、通信部３６を介して認証情報を受信した入退室管理サーバ３１は、認証部３５において、当該受信した認証情報と一致する情報が認証情報リストの中に存在するか判断を行なう。その結果、一致する情報があれば「認証成功」、一致する情報がなければ「認証失敗」をゲート管理装置１１へ通信部３６を介して返信する。認証に失敗した場合には（ステップＳ１０３でＮＯ）、そのままこの処理を終了する。
【００６４】
認証に成功し（ステップＳ１０３でＹＥＳ）、認証成功のデータを受信したゲート管理装置１１の制御部２３は、表示部１４に、例えば「来訪者数を入力して下さい」旨のメッセージを表示する。このメッセージを参照した在籍者は、ゲート端末（外側）１２から共連れの対象となる来訪者の人数を入力する（ステップＳ１０４）。この入力は、コマンド入力部１５から行なわれる。
【００６５】
続いて、ゲート管理装置１１は、入退室管理部４２において、電子錠２６の開錠制御を行う（ステップＳ１０５）。この結果、ゲート２が開き、在籍者は、来訪者を引き連れて管理エリア１内へ進入する。このとき、ゲート管理装置１１の通過者計数部２２は、ゲート通過者（内→外）の人数を計数する（ステップＳ１０６）。
【００６６】
その後、ゲート管理装置１１は、制御部２３において、当該計数した人数と、ステップＳ１０４で入力された人数が一致するか否かの判断を行なう（例えば、来訪者数に引率者の１名を加えた人数が通過すれば真となる）。
【００６７】
この結果、人数が一致した場合には（ステップＳ１０７でＹＥＳ）、ゲート管理装置１１は、制御部２３において、ゲート２を通過した在籍者の情報や、来訪者の人数を含む情報を入退室管理サーバ３１に送信する。これを受けた入退室管理サーバ３１は、共連れ情報管理テーブルに在籍者の情報や来訪者の人数を登録する（ステップＳ１０８）。この登録により、共連れ情報管理テーブル５０１には、例えば、図４（ａ）に示すデータが保持される。そして、ゲート管理装置１１は、入退室管理部４２において、ゲート２に設置された電子錠２６を施錠制御した後（ステップＳ１０９）、この処理を終了する。
【００６８】
また、ステップＳ１０７の判断により人数が不一致であった場合には（ステップＳ１０７でＮＯ）、ゲート管理装置１１は、異常報知部４３において、異常が発生した旨を報知する（ステップＳ１１０）。その後、この処理は終了する。
【００６９】
このようにして入室が許可されることで、図２に示すように、在籍者（４、７）により引率された共連れグループ（この場合、２つ）が、管理エリア１内に入室してエリア内のしかるべき場所で作業を行うことができる。
【００７０】
次に、図６を用いて、管理エリア１内に在籍者とともに共連れ入室した来訪者が一時退室する際の処理の流れの一例について説明する。
【００７１】
管理者が、ゲート管理装置１１に対して処理開始の命令を与えると、ゲート管理装置１１の制御部２３により、ゲート管理装置１１用のプログラムがＲＡＭ（不図示）上に展開され、表示部（１４、１９）に必要な情報が提示される。また、在籍者夫々が、自分の情報処理端末（５１、６１）に対して処理開始の命令を与えると、情報処理端末（５１、６１）の制御部５２により、情報処理端末（５１、６１）用のプログラムがＲＡＭ（不図示）上に展開され、表示部５３に必要な情報が提示される。
【００７２】
ここで、来訪者が入室している状態において、図７（ａ）に示すように、例えば、共連れグループＡにおける来訪者５の内の１人７０１が一時退室を希望し、ゲート端末（内側）１７に単独で移動（アクセス）したとする。来訪者は、まず、ゲート端末（内側）１７から「開錠要求」ボタン（不図示）を押下する（ステップＳ２０１）。「開錠要求」ボタンは、例えば、ゲート端末（内側）１７のコマンド入力部２０上から押下される。
【００７３】
この押下を受けたゲート管理装置１１は、カメラ１８により、ゲート２（内側）前の来訪者を撮像し、その撮像画像をバス２５に出力する（ステップＳ２０２）。また、ゲート管理装置１１は、配信部４１において、ゲート情報、入退室方向、ステップＳ２０２で撮像された撮像画像を含む開錠依頼用データセットを作成し、それを在籍者が有する情報処理端末（５１、６１）に通信部２４を介して配信する（ステップＳ２０３）。配信先は、共連れ情報管理テーブル５０１に含まれる全ての引率者（図４（ａ）の場合、在籍者Ａ（４）及び在籍者Ｂ（７））の情報処理端末となる。なお、ゲート情報は、例えば、管理エリア１におけるゲートＩＤ、或いはゲート２の位置を示すマップ情報などを含む。また、入退室方向は、入退出のいずれかを示す情報であり、例えば、“一時退室”などが設定される。
【００７４】
各情報処理端末（５１、６１）は、開錠依頼の受信待ちにある（ステップＳ２０４でＮＯ）。開錠依頼を受信した場合には（ステップＳ２０４でＹＥＳ）、情報処理端末（５１、６１）は、制御部５２において、図７（ｂ）に示すように、自端末の画面７０２上に開錠依頼用ウィンドウ７０３をポップアップする。このポップアップ画面には、当該開錠依頼用データセットに含まれたゲート情報７０４、入退室方向７０５、及び撮影画像７０６が表示される（ステップＳ２０５）。
【００７５】
情報処理端末（５１、６１）の制御部５２は、コマンド入力部５４を介して開錠依頼用ウィンドウ７０３の「開錠」ボタン７０７が押下されたか否かを判断する。在籍者により「開錠」ボタン７０７の押下を受けた場合（ステップＳ２０６でＹＥＳ）、情報処理端末（５１、６１）は、制御部５２において、「開錠許可」をゲート管理装置１１に通信部５５を介して返信する（ステップＳ２０７）。多くの場合、在籍者は自分が引率した来訪者から開錠依頼を受信した場合に、「開錠」ボタン７０７を押すことになる（他の在籍者が引率した来訪者から開錠依頼を受信した場合は、「キャンセル」ボタン７０８を押す）。
【００７６】
一方、ゲート管理装置１１は、制御部２３において、情報処理端末（５１、６１）の何れかから「開錠許可」を通信部２４を介して受信したか判断を行なう。「開錠許可」を受信した場合（ステップＳ２０８でＹＥＳ）、ゲート管理装置１１は、入退室管理部４２において、ゲート２に設置された電子錠２６の開錠制御を実施する（ステップＳ２１０）。このとき、ゲート端末（内側）１７の表示部１９には、例えば「ゲートが開きました。一時退室できます」旨のメッセージが表示される。この状態で、来訪者は、ゲート２を通過して管理エリア１の外へ退出する。なお、ステップＳ２０３の開錠依頼後、所定時間を経過しても情報処理端末から「開錠許可」が送られて来なかった場合には（ステップＳ２０９でＹＥＳ）、ゲート管理装置１１は、異常報知部４３において、異常が発生した旨を報知する（ステップＳ２１５）。その後、この処理は終了する。
【００７７】
続いて、ゲート管理装置１１は、通過者計数部２２において、ゲート通過者（内→外）の人数を計数し（ステップＳ２１１）、制御部２３において、当該計数された人数が妥当であるか判断を行なう。人数が妥当であるか否かは、例えば、情報処理端末（５１、６１）において在籍者が開錠を許可する際に、通過を許可する人数も同時に入力させ、その人数と、実際に通過した人数とを比較することで判断する。
【００７８】
この結果、人数が妥当であれば（ステップＳ２１２でＹＥＳ）、ゲート管理装置１１は、制御部２３において、ゲート２を通過した来訪者の人数を含む情報を入退室管理サーバ３１に送信する。これを受けた入退室管理サーバ３１は、共連れ情報管理テーブルの来訪者数（エリア内／エリア外）の欄を更新する（ステップＳ２１３）。この結果、共連れ情報管理テーブルは図４（ｂ）のようになる。そして、ゲート管理装置１１は、入退室管理部４２において、ゲート２に設置された電子錠２６の施錠制御を実施した後（ステップＳ２１４）、この処理を終了する。
【００７９】
また、ステップＳ２１２において、ゲート２を通過した人数が妥当でなかった場合（ステップＳ２１２でＮＯ）、ゲート管理装置１１は、異常報知部４３において、異常が発生した旨を報知する（ステップＳ２１５）。その後、この処理は終了する。
【００８０】
次に、来訪者が一旦退出した後、再入室する際の処理の流れの一例について説明する。なお、再入室時の流れは、上述の一時退室を行う場合とほとんど同じ処理となるため、ここでは図６のフローチャートを用いて説明する。
【００８１】
図８（ａ）に示すように、管理エリア１外へ退出した来訪者７０１が、用事等を終え、管理エリア１への再入室を希望してゲート２（外側）に単独でアクセスしたとする。このとき、来訪者７０１は、一時退室時と同様にゲート端末（外側）１２から「開錠要求」ボタン（不図示）を押下する（ステップＳ２０１）。「開錠要求」ボタンは、例えば、ゲート端末（外側）１２のコマンド入力部１５上から押下される。
【００８２】
この押下を受けたゲート管理装置１１は、カメラ１３により、ゲート２（外側）前の来訪者を撮像し、その撮像画像をバス２５に出力する（ステップＳ２０２）。また、ゲート管理装置１１は、配信部４１において、ゲート情報、入退室方向、ステップＳ２０２で撮像された撮像画像を含む開錠依頼用データセットを作成し、それを在籍者が有する情報処理端末（５１、６１）に通信部２４を介して配信する（ステップＳ２０３）。配信先は、共連れ情報管理テーブル５０１に含まれる全ての引率者（図８（ａ）の場合、在籍者４）の情報処理端末となる。なお、ゲート情報は、例えば、管理エリア１におけるゲートＩＤ、或いはゲート２の位置を示すマップ情報などを含む。また、入退室方向は、入退出のいずれかを示す情報であり、例えば、“再入室”などが設定される。
【００８３】
各情報処理端末（５１、６１）は、開錠依頼の受信待ちにある（ステップＳ２０４でＮＯ）。開錠依頼を受信した場合には（ステップＳ２０４でＹＥＳ）、情報処理端末（５１、６１）は、制御部５２において、図８（ｂ）に示すように、自端末の画面７０２上に開錠依頼用ウィンドウ７０３をポップアップする。このポップアップ画面には、当該開錠依頼用データセットに含まれたゲート情報７０４、入退室方向７０５、及び撮影画像７０６が表示される（ステップＳ２０５）。
【００８４】
続く処理においても、上述の一時退室の場合と同様の処理が実施される。すなわち、情報処理端末（５１、６１）の制御部５２は、コマンド入力部５４を介して開錠依頼用ウィンドウ７０３の「開錠」ボタン７０７が押下されたか否かを判断する。在籍者により「開錠」ボタン７０７の押下を受けた場合（ステップＳ２０６でＹＥＳ）、情報処理端末（５１、６１）は、制御部５２において、「開錠許可」をゲート管理装置１１に通信部５５を介して返信する（ステップＳ２０７）。多くの場合、在籍者は自分が引率した来訪者から開錠依頼を受信した場合に、「開錠」ボタン７０７を押すことになる（他の在籍者が引率した来訪者から開錠依頼を受信した場合は、「キャンセル」ボタン７０８を押す）。
【００８５】
一方、ゲート管理装置１１は、制御部２３において、情報処理端末（５１、６１）の何れかから「開錠許可」を通信部２４を介して受信したか判断を行なう。「開錠許可」を受信した場合（ステップＳ２０８でＹＥＳ）、ゲート管理装置１１は、入退室管理部４２において、ゲート２に設置された電子錠２６の開錠制御を実施する（ステップＳ２１０）。このとき、ゲート端末（外側）１２の表示部１４には、例えば「ゲートが開きました。再入室できます」旨のメッセージが表示される。この状態で、来訪者は、ゲート２を通過して管理エリア１内へ再進入する。なお、ステップＳ２０３の開錠依頼後、所定時間を経過しても情報処理端末から「開錠許可」が送られて来なかった場合には（ステップＳ２０９でＹＥＳ）、ゲート管理装置１１は、異常報知部４３において、異常が発生した旨を報知する（ステップＳ２１５）。その後、この処理は終了する。
【００８６】
続いて、ゲート管理装置１１は、通過者計数部２２において、ゲート通過者（外→内）の人数を計数し（ステップＳ２１１）、制御部２３において、当該計数された人数が妥当であるか判断を行なう。人数が妥当であるか否かは、例えば、情報処理端末（５１、６１）において在籍者が開錠を許可する際に、通過を許可する人数も同時に入力させ、その人数と、実際に通過した人数とを比較することで判断する。
【００８７】
この結果、人数が妥当であれば（ステップＳ２１２でＹＥＳ）、ゲート管理装置１１は、制御部２３において、ゲート２を通過した来訪者の人数を含む情報を入退室管理サーバ３１に送信する。これを受けた入退室管理サーバ３１は、共連れ情報管理テーブルの来訪者数（エリア内／エリア外）の欄を更新する（ステップＳ２１３）。この結果、共連れ情報管理テーブルは図４（ａ）のようになる。そして、ゲート管理装置１１は、入退室管理部４２において、ゲート２に設置された電子錠２６の施錠制御を実施した後（ステップＳ２１４）、この処理を終了する。
【００８８】
また、ステップＳ２１２において、ゲート２を通過した人数が妥当でなかった場合（ステップＳ２１２でＮＯ）、ゲート管理装置１１は、異常報知部４３において、異常が発生した旨を報知する（ステップＳ２１５）。その後、この処理は終了する。
【００８９】
なお、上記説明では、来訪者の一時退室時及び再入室時の処理におけるゲート管理装置１１と情報処理端末（５１、６１）との間のデータ通信（例えば、「開錠依頼」、「開錠許可」など）の具体的実現方法については言及していないが、その方法は特に問わない。このデータ通信におけるセキュリティを高める場合、例えば、図示しないＷｅｂアプリケーションサーバと電子メールシステムとを組み合わせて実現する方法が考えられる。具体的には、Ｗｅｂアプリケーションで開錠依頼用の一時的なページを生成し、そのページのＵＲＬを電子メールに記入して在籍者の情報処理端末（５１、６１）へ送信する。また、在籍者が情報処理端末（５１、６１）から当該開錠依頼用ページにアクセスし、開錠依頼（来訪者画像やゲート情報など）の確認を行い、「開錠」ボタンを押下する。
【００９０】
また、引率者である在籍者による遠隔からの開錠操作は、当該在籍者の所在に関わらず（すなわち、管理エリア１内に在室しているか否かに関係なく）、実行できることは言うまでもない。例えば、在籍者７が管理エリア１の外にいる時に、所持する情報処理端末（携帯端末）６１が「開錠依頼」を受信し、在籍者７により「開錠」ボタンが押された場合、ゲート管理装置１１へ「開錠許可」を送信するようにも構成することができる。
【００９１】
以上のように実施形態１によれば、管理エリア１に第２の人物（来訪者）を伴って入室した第１の人物（在籍者）に係わる情報を管理する。そして、当該来訪者が一時退室又は再入室する際には、開錠要求を入力した来訪者を撮像した画像を含む開錠依頼を当該管理された全ての在籍者の情報処理端末へ配信し、それらの端末のいずれかから開錠許可を受信したことに基づいてゲート２を開錠する。
【００９２】
これにより、在籍者は、ゲート２の開錠操作を行なうために、わざわざゲート２まで出向く必要がなくなる。これは、一時退室又は再入室を希望する来訪者だけがゲート２まで移動し、所定の入退室の操作をすれば済むためである。
【００９３】
また、来訪者は、認証情報を（一時）登録する必要がない。このため、例えば、生態認証等を利用した場合のプライバシー問題や機器のコストアップを避けられる。また、生態認証装置の精度が低い（例えば、本人拒否率が高い）場合、認証失敗により本人が再入室不能になるケースも回避できる。また、ＩＤカードを非登録者に事前に渡す必要もない。更に、開錠の判断が来訪者を管理エリア１に引率した在籍者により確実になされるため、なりすましによる不正入室発生の危険性も低くなる。
【００９４】
以上から、肉体的・心理的負担が少なくなり、利便性の高い入退室管理が可能となる。
【００９５】
（実施形態２）
次に、実施形態２について説明する。なお、実施形態２における入退室管理システムの全体構成は、実施形態１で説明した図１と同様となるため、その説明については省略する。
【００９６】
図９は、実施形態２に係わる入退室管理システムの内部ブロック構成の一例を示す図である。本システムは大きく、ゲート管理装置１１、入退室管理サーバ３１、情報処理端末（５１、６１）、及びそれらを結ぶネットワーク７１から構成される。なお、実施形態１で説明した図３と同一の符号が付されているものは、略同様の機能を有するため、その説明については省略する。実施形態１における図３との相違点としては、入退室管理サーバ３１に、代理者情報管理部３３が加わっているところにある。
【００９７】
代理者情報管理部３３は、在籍者の代理となる代理者に係わる情報を、例えば、ＲＯＭ等に記憶し管理する。ここで、実施形態２においては、代理者に係わる情報として在籍者の所属する組織のツリー構造や、各部署の課員や役職などの情報を管理する。この場合、代理者情報管理部３３では、例えば、図１０に示すツリー構造１００１により代理者に係わる組織の情報を管理する。各在籍者のデータ領域には、図１０に示すように、例えば、名前（氏名）、タイトル（役職）、ＩＤ番号、メールアドレス、などの情報が含まれる。
【００９８】
次に、実施形態２に係わる入退室管理システムにおける処理の流れについて説明する。なお、実施形態２に係わる共連れ入室時、来訪者の一時退室時／再入室時の処理の流れは、実施形態１で説明した図５及び図６と同様であるため、ここでは相違する箇所についてのみ説明する。実施形態１との相違点としては、図６のステップＳ２０３における処理にある。具体的には、開錠依頼の配信先となる情報処理端末が異なる。
【００９９】
ここで、図１１を用いて、このステップＳ２０３における処理の流れについて説明する。
【０１００】
まず、ゲート管理装置１１は、制御部２３において、共連れ情報管理テーブル５０１における各引率者が管理エリア１内に在室しているか否かチェックを行なう（ステップＳ３０１）。このチェックは、入退室管理サーバ３１に通信部２４を介して問合せを行なうことで実施される。
【０１０１】
この結果、引率者が在室していれば（ステップＳ３０２でＹＥＳ）、ゲート管理装置１１は、制御部２３において、開錠依頼の送信先情報に引率者本人を設定する（ステップＳ３０３）。一方、引率者が不在であれば（ステップＳ３０２でＮＯ）、ゲート管理装置１１は、制御部２３において、代理者情報管理部３３における組織情報ツリー１００１を参照する。このツリーの参照は、入退室管理サーバ３１に通信部２４を介して問合せを行なうことで実施される。
【０１０２】
ゲート管理装置１１は、制御部２３において、ツリーが参照し当該引率者の適切な代理者を特定する。例えば、在籍者４の代理者としては、上長の“在籍者Ｘ”や同僚の“在籍者Ｈ”など）が該当する。このようにして代理者の特定が済むと、ゲート管理装置１１は、制御部２３において、当該代理者が管理エリア１内に在室しているか否かチェックを行なう（ステップＳ３０４）。このチェックは、上記同様に、入退室管理サーバ３１に通信部２４を介して問合せを行なうことで実施される。
【０１０３】
この結果、代理者が在室していれば（ステップＳ３０５でＹＥＳ）、ゲート管理装置
は、制御部２３において、開錠依頼の送信先情報にその代理者を設定する（ステップＳ３０６）。一方、代理者が不在であれば（ステップＳ３０５でＮＯ）、ゲート管理装置１１は、制御部２３において、開錠依頼の送信先情報に“ＮＵＬＬ（送信者なし）”を設定する（ステップＳ３０７）。
【０１０４】
続いて、ゲート管理装置１１は、配信部４１において、当該送信先情報が示す宛先に、ゲート情報、入退室方向、来訪者の撮像画像を含む開錠依頼用データセットを配信する（ステップＳ３０８）。ゲート管理装置１１は、制御部２３において、共連れ情報管理テーブル５０１における全ての引率者の在室チェックを終えた後（ステップＳ３０９でＹＥＳ）、この処理を終了する。そうでない場合には（ステップＳ３０９でＮＯ）、再度、ステップＳ３０１の処理に戻る。
【０１０５】
以上のように実施形態２によれば、来訪者を引率して管理エリア１へ入室した在籍者が管理エリア１内に不在の際に代理者を割り当て、（来訪者を引率した在籍者に替えて）当該代理者が自身の端末上で一連の開錠操作を行なう。これにより、実施形態１における効果に加えて更に利便性が向上する。
【０１０６】
以上が本発明の代表的な実施形態の一例であるが、本発明は、上記及び図面に示す実施形態に限定することなく、その要旨を変更しない範囲内で適宜変形して実施できるものである。
【０１０７】
例えば、上述した実施形態１及び２では、来訪者が管理エリア１から一時退室する時と管理エリア１へ再入室する時の両方向でゲート２の開錠制御を行なう場合について説明したが、これに限られない。例えば、来訪者の一時退室時と再入室時の少なくとも一方のみで当該開錠制御を行うように構成してもよい。
【０１０８】
また、上述した実施形態１及び２では、共連れ情報管理テーブル５０１に管理された情報の削除については言及していないが、例えば、在籍者が引率した来訪者が全て退出したタイミングや、退出後所定時間が経過したタイミング等で削除するようにしてもよい。
【０１０９】
なお、本発明は、例えば、システム、装置、方法、プログラム若しくは記録媒体等としての実施態様を採ることもできる。具体的には、複数の機器から構成されるシステムに適用してもよいし、また、一つの機器からなる装置に適用してもよい。
【０１１０】
また、本発明は、ソフトウェアのプログラムをシステム或いは装置に直接或いは遠隔から供給し、そのシステム或いは装置に内蔵されたコンピュータが該供給されたプログラムコードを読み出して実行することにより実施形態の機能が達成される場合をも含む。この場合、供給されるプログラムは実施形態で図に示したフローチャートに対応したコンピュータプログラムである。
【０１１１】
したがって、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳ（Operating System）に供給するスクリプトデータ等の形態であってもよい。
【０１１２】
コンピュータプログラムを供給するためのコンピュータ読み取り可能な記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【０１１３】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１４】
また、本発明のプログラムを暗号化してＣＤ−ＲＯＭ等の記録媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【０１１５】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部又は全部を行ない、その処理によって前述した実施形態の機能が実現される。
【０１１６】
更に、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵ（Central Processing Unit）などが実際の処理の一部又は全部を行なう。
【図面の簡単な説明】
【０１１７】
【図１】本発明に係わる入退室管理システムの全体構成の一例を示す図である。
【図２】共連れ入室後における入退室管理システムの全体構成の一例を示す図である。
【図３】図１に示す入退室管理システムの内部ブロック構成の一例を示す図である。
【図４】共連れ情報管理テーブルのテーブル構成の一例を示す図である。
【図５】図１に示す入退室管理システムにおける処理の流れの一例を示す第１のフローチャートである。
【図６】図１に示す入退室管理システムにおける処理の流れの一例を示す第２のフローチャートである。
【図７】来訪者が一時退室する際における入退室管理システムの全体構成の一例を示す図である。
【図８】来訪者が再入室する際における入退室管理システムの全体構成の一例を示す図である。
【図９】実施形態２に係わる入退室管理システムの内部ブロック構成の一例を示す図である。
【図１０】組織図の構成の一例を示すツリー図である。
【図１１】実施形態２に係わる入退室管理システムにおける処理の流れの一例を示すフローチャートである。
【符号の説明】
【０１１８】
１    管理エリア
２    ゲート
１１    ゲート管理装置
１２、１７    ゲート端末
１３、１８    カメラ
１４、１９、３７、５３    表示部
１５、２０、５４    コマンド入力部
１６、２１    認証情報入力部
２２    通過者計数部
２３、３４、５２    制御部
２４、３６、５５    通信部
２５、３７、５６    バス
２６    電子錠
３１    入退室管理サーバ
３２    共連れ情報管理部
３３    代理者情報管理部
３５    認証部
３８    認証情報管理部
４１    配信部
４２    入退室管理部
４３    異常報知部
５１、６１    情報処理端末
７１    ネットワーク
【図１】
0005226347.tif 000002
【図２】
0005226347.tif 000003
【図３】
0005226347.tif 000004
【図４】
0005226347.tif 000005
【図５】
0005226347.tif 000006
【図６】
0005226347.tif 000007
【図７】
0005226347.tif 000008
【図８】
0005226347.tif 000009
【図９】
0005226347.tif 000010
【図１０】
0005226347.tif 000011
【図１１】
0005226347.tif 000012